【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
セルラー通信ネットワークにおいて現在のセルと隣接セルとの間のハンドオフの境界を最適にするための方法であって、
現在のセルから隣接セルにハンドオフを実行する前に現在のセルからの信号強度よりもヒステリシス値だけ強力な隣接セルからの信号を移動局（ＭＳ）が受信することを保証するのに使用される、現在のヒステリシス値を決定する工程と、
各信号強度（ＳＳ）測定値のペアがハンドオフ前の現在のセルからのＳＳ測定値とハンドオフ後の隣接セルからのＳＳ測定値とを含む、ハンドオフ境界の近くで運用される複数のＭＳからのＳＳ測定値のペアを収集する工程と、
現在のセルからの平均ＳＳ測定値と、隣接セルからの平均ＳＳ測定値と、現在のセルからの平均ＳＳ測定値および隣接セルからの平均ＳＳ測定値の全平均値とを測定することにより、中間ポイントＳＳを計算する工程と、
中間ポイントＳＳと現在のセルからの平均ＳＳ測定値との間の差にほぼ等しい値を、現在のヒステリシス値から減算することによってハンドオフ境界を最適にする工程とを備えた方法。
【請求項２】
より多数のＭＳからのＳＳ測定値を利用して、請求項１の工程を繰り返すことを更に含む、請求項１記載の方法。
【請求項３】
セルラー通信ネットワークにおいて、ハンドオフ境界にて現在のセルから隣接セルへの移動局のハンドオフを制御するために利用される、現在のセルから隣接セルへのハンドオフのためのヒステリシス値を最適にする方法であって、
現在のヒステリシス値を決定する工程と、
ハンドオフ境界の近くで運用中の複数の移動局によって取り込まれた複数の信号強度（ＳＳ）の測定値を収集する工程を備え、前記ＳＳ測定値が各移動局に対し、ハンドオフ前の現在のセルにサービスしている第１基地局からの、移動局によって受信される信号の第１のＳＳ測定値と、ハンドオフの後で隣接セルにサービスする第２の基地局からの、移動局によって受信される信号の第２のＳＳ測定値とを含み、
更にハンドオフ境界の現在のセル側での平均ＳＳ（ＣＰ）を計算する工程と、
ハンドオフ境界の隣接セル側での平均ＳＳ（ＣＮ）を計算する工程と、
ＣＰとＣＮとの平均を計算することにより、現在のセルと隣接セルとの間の中間ポイントＳＳを計算する工程と、
中間ポイントＳＳから誤差をまるめることに起因するファクタを減算することにより、ハンドオフ後のハンドオフ境界の現在のセル側での予想信号強度（ＥＰ）を計算する工程と、
ＥＰとＣＰとの差を前記現在のヒステリシス値から減算することにより、現在のセルから隣接セルへのハンドオフに対する推奨ヒステリシス値を計算する工程とを備えた方法。
【請求項４】
現在のセル内のＭＳからの最新のＳＳ測定値を利用し、請求項１記載の工程を繰り返すことにより、前記ヒステリシス値を更新することを更に含む、請求項３記載の方法。
【請求項５】
現在のセル内で運用中のすべてのＭＳからのＳＳ測定値を利用し、請求項１の工程を繰り返すことにより、前記ヒステリシス値を微調節することを更に含む、請求項３記載の方法。
【請求項６】
前記推奨ヒステリシス値がデフォルトヒステリシス値以下であるかどうかを判断する工程と、
前記推奨ヒステリシス値がデフォルトヒステリシス値以下であると判断された場合に、ハンドオフを制御するのに前記デフォルトヒステリシス値を利用する工程を更に含む、請求項３記載の方法。
【請求項７】
現在のセルに対するＳＳのほうが微弱信号強度に対する所定スレッショルドよりも低く、他方、隣接セルに対するＳＳのほうが強力信号強度に対する所定スレッショルドよりも高いかどうかを判断する工程と、
現在のセルに対するＳＳのほうが微弱ＳＳスレッショルドよりも低く、隣接セルに対するＳＳのほうが強力ＳＳスレッショルドよりも高いと判断されたときに、計算された中間ポイントＳＳに基づき、前記現在のヒステリシス値を調節する工程を更に含む、請求項３記載の、方法。
【請求項８】
現在のセルに対するＳＳのほうが微弱ＳＳスレッショルドよりも高いか、または隣接セルに対するＳＳのほうが強力ＳＳスレッショルドよりも低いと判断されたときに、特定されたＳＳに基づき、前記現在のヒステリシス値を調節することを更に含む、請求項７記載の、方法。
【請求項９】
セルラー通信ネットワークにおいて、ハンドオフ境界にて隣接セルから現在のセルへの移動局（ＭＳ）のハンドオフを制御するために利用される、隣接セルから現在のセルへのハンドオフのためのヒステリシス値を最適にする方法であって、
現在のヒステリシス値を決定する工程と、
ハンドオフ境界の近くで運用中の複数の移動局によって取り込まれた複数の信号強度（ＳＳ）の測定値を収集する工程を備え、前記ＳＳ測定値が各移動局に対し、ハンドオフ前の現在のセルにサービスしている第１基地局からの、移動局によって受信される信号の第１のＳＳ測定値と、ハンドオフの後で隣接セルにサービスする第２の基地局からの、移動局によって受信される信号の第２のＳＳ測定値とを含み、
更にハンドオフ境界の現在のセル側での平均ＳＳ（ＣＰ）を計算する工程と、
ハンドオフ境界の隣接セル側での平均ＳＳ（ＣＮ）を計算する工程と、
ＣＰとＣＮとの平均を計算することにより、現在のセルと隣接セルとの間の中間ポイントＳＳを計算する工程と、
中間ポイントＳＳに誤差をまるめることに起因するファクタを加算し、ＭＳの出力パワーのステップサイズのファクターを加算することによりハンドオフ後のハンドオフ境界の隣接セル側での予想信号強度（ＥＮ）を計算する工程と、
ＥＮとＣＰとの差を前記現在のヒステリシス値から減算することにより、隣接セルから現在のセルへのハンドオフに対する推奨ヒステリシス値を計算する工程とを備えた、方法。
【請求項１０】
セルラー通信ネットワークにおいて、ハンドオフ境界における現在のセルと隣接セルとの間でいつ移動局をハンドオフするかを制御するのに利用される、現在のセルから隣接セルへのハンドオフのための第１のヒステリシス値と隣接セルから現在のセルへのハンドオフのための第２のヒステリシス値を最適にする方法であって、
現在の第１のヒステリシス値を決定する工程と、
現在の第２のヒステリシス値を決定する工程と、
ハンドオフ境界の近くで運用中の複数の移動局によって取り込まれた複数の信号強度（ＳＳ）の測定値を収集する工程を備え、前記ＳＳ測定値が各移動局に対し、ハンドオフ前の現在のセルにサービスしている第１基地局からの、移動局によって受信される信号の第１のＳＳ測定値と、ハンドオフの後で隣接セルにサービスする第２の基地局からの、移動局によって受信される信号の第２のＳＳ測定値とを含み、
更にハンドオフ境界の現在のセル側での平均ＳＳ（ＣＰ）を計算する工程と、
ハンドオフ境界の隣接セル側での平均ＳＳ（ＣＮ）を計算する工程と、
ＣＰとＣＮとの平均を計算することにより、現在のセルと隣接セルとの間の中間ポイントＳＳを計算する工程と、
中間ポイントＳＳから誤差をまるめることに起因するファクタを減算することにより、ハンドオフ後のハンドオフ境界の現在のセル側での予想信号強度（ＥＰ）を計算する工程と、
中間ポイントＳＳに対し、誤差をまるめることに起因するファクタを加え、更にＭＳの出力パワーのステップサイズのファクタを加えることにより、ハンドオフの後でハンドオフ境界の隣接セル側での予想信号強度（ＥＮ）を計算する工程と、
ＥＰとＣＰとの差を現在の第１のヒステリシス値から減算することにより、現在のセルから隣接セルへのハンドオフに対する推奨ヒステリシス値を計算する工程と、
ＥＮとＣＰとの差を現在の第２のヒステリシス値から減算することにより、隣接セルから現在のセルへのハンドオフに対する推奨ヒステリシス値を計算する工程とを備えた、方法。